(57)【要約】  空気調和機の室内ユニットの内部に、台枠により取り付けられた熱交換器と、この熱交換器の下方に取り付けられたドレンパンを設けた。また、台枠は熱交換器を取り付けるための第１及び第２の取付板を有し、熱交換器はその両端部を形成する第１及び第２の端板を有するとともに、第１の端板に形成された第１の突起を第１の取付板に形成された第１の孔部に嵌入させる一方、第２の取付板に形成された第２の突起を第２の端板に形成された第２の孔部に嵌入させて熱交換器を台枠に取り付けた。さらに、第１の孔部の下方に第１の突起に生じる結露水をドレンパンに誘導するための水受け誘導手段を設けた。
2007119649.tif 000002
【特許請求の範囲】
【請求項１】
台枠により取り付けられた熱交換器と、該熱交換器の下方に設けられたドレンパンを内蔵する室内ユニットを有する空気調和機であって、
前記台枠は前記熱交換器を取り付けるための第１及び第２の取付板を有し、前記熱交換器はその両端部を形成する第１及び第２の端板を有するとともに、前記第１の端板に形成された第１の突起を前記第１の取付板に形成された第１の孔部に嵌入させる一方、前記第２の取付板に形成された第２の突起を前記第２の端板に形成された第２の孔部に嵌入させて前記熱交換器を前記台枠に取り付けるとともに、前記第１の孔部の下方に前記第１の突起に生じる結露水を前記ドレンパンに誘導するための水受け誘導手段を設けたことを特徴とする空気調和機。
【請求項２】
前記水受け誘導手段は、前記第１の取付板から垂直に立設されたリブであることを特徴とする請求項１に記載の空気調和機。
【請求項３】
前記リブを、前記室内ユニットの前方に向かって下方に傾斜させたことを特徴とする請求項２に記載の空気調和機。
【請求項４】
前記リブの後縁が、前記第１の孔部よりも後方に位置することを特徴とする請求項３に記載の空気調和機。
【請求項５】
前記リブの後縁が、前記第１の孔部下端よりも上方に位置することを特徴とする請求項４に記載の空気調和機。
【請求項６】
前記リブの前縁が、前記第１の孔部よりも前方に位置することを特徴とする請求項２乃至５のいずれか１項に記載の空気調和機。
【発明の詳細な説明】
【技術分野】
【０００１】
本発明は、室内ユニットにおける結露水の処理をすることができる空気調和機に関するものである。
【背景技術】
【０００２】
従来の空気調和機においては、熱交換器は台枠を介して室内ユニットに取り付けられているが、熱交換器が台枠から浮き上がると熱交換されていない空気が室内に吹き出されることから、熱交換器が台枠から浮き上がらないように構成することで熱交換性能を向上させている（例えば、特許文献１参照）。【０００３】
熱交換器の台枠への取付構造について図９及び図１０を参照しながら詳述する。図９は従来の空気調和機の室内ユニットに設けられた熱交換器とその台枠の分解斜視図であり、図１０はその部分分解斜視図である。【０００４】
図９及び図１０に示されるように、熱交換器１０１は、その端部を形成する左右一対の端板１０５ａ，１０５ｂを有し、一方の端板１０５ａには突起１０６ａが形成される一方、他方の端板１０５ｂには孔部１０４ｂが形成されている。また、熱交換器１０１を室内ユニットに取り付けるための台枠１０２は、熱交換器１０１の幅とほぼ等しい幅で立設された一対の取付板１０３ａ，１０３ｂを有し、一方の取付板１０３ａには孔部１０４ａが形成される一方、他方の取付板１０３ｂには突起１０６ｂが形成されている。【０００５】
熱交換器１０１を室内ユニット内に取り付ける場合には、熱交換器端板１０５ａの突起１０６ａを対応する取付板１０３ａの孔部１０４ａに嵌入させるとともに、取付板１０３ｂの突起１０６ｂを対応する熱交換器端板１０５ｂの孔部１０４ｂに嵌入させている。【０００６】
【特許文献１】特開２０００−１７９９３１号公報
【発明の開示】
【発明が解決しようとする課題】
【０００７】
しかしながら、従来の構成では、熱交換器端板１０５ａの突起１０６ａと取付板１０３ａの孔部１０４ａとが係合するため、突起１０６ａの先端部は送風回路の内側に位置することになり、突起１０６ａの先端部に生じた結露水が送風回路に侵入し、送風回路を通じて空気調和機の吹き出し口から漏れ出て、水が飛んだり滴下する恐れがあるという課題を有していた。【０００８】
本発明は、従来技術の有するこのような問題点に鑑みてなされたものであり、簡素な構成で突起先端に生じた結露水を円滑にドレンパンに導くことにより吹き出し口からの水の漏洩を防止することができる空気調和機を提供することを目的としている。
【課題を解決するための手段】
【０００９】
上記目的を達成するため、本発明は、台枠により取り付けられた熱交換器と、該熱交換器の下方に設けられたドレンパンを内蔵する室内ユニットを有する空気調和機であって、前記台枠は前記熱交換器を取り付けるための第１及び第２の取付板を有し、前記熱交換器はその両端部を形成する第１及び第２の端板を有するとともに、前記第１の端板に形成された第１の突起を前記第１の取付板に形成された第１の孔部に嵌入させる一方、前記第２の取付板に形成された第２の突起を前記第２の端板に形成された第２の孔部に嵌入させて前記熱交換器を前記台枠に取り付けるとともに、前記第１の孔部の下方に前記第１の突起に生じる結露水を前記ドレンパンに誘導するための水受け誘導手段を設けたことを特徴とする。【００１０】
好ましくは、水受け誘導手段は、第１の取付板から垂直に立設されたリブである。【００１１】
さらに、リブを、室内ユニットの前方に向かって下方に傾斜させるのが好ましい。【００１２】
また、リブの後縁を、第１の孔部よりも後方に位置させたり、第１の孔部下端よりも上方に位置させるのがよい。【００１３】
また、リブの前縁を、第１の孔部よりも前方に位置させるのが好ましい。
【発明の効果】
【００１４】
本発明によれば、第１の孔部の下方に第１の突起に生じる結露水をドレンパンに誘導するための水受け誘導手段を設けたので、結露水が送風回路に滴下して、室内ユニットの吹き出し口から漏れ出すことを防止することができる。【００１５】
また、水受け誘導手段を、第１の取付板から垂直に立設されたリブで構成したので、構成が簡素である。【００１６】
さらに、リブを室内ユニットの前方に向かって下方に傾斜させることにより、第１の突起先端に生じる結露水を確実にドレンパンに導くことができ、結露水の送風回路への侵入を防止することができる。【００１７】
また、リブの後縁を第１の孔部よりも後方に位置させたり、第１の孔部下端よりも上方に位置させるようにすると、第１の突起先端に生じる結露水をより確実にドレンパンに導くことができる。【００１８】
また、リブの前縁を第１の孔部よりも前方に位置させると、第１の突起先端に生じる結露水をさらに確実にドレンパンに導くことができる。
【図面の簡単な説明】
【００１９】
【図１】本発明に係る空気調和機の室内ユニットの縦断面図
【図２】図１の室内ユニットに設けられた熱交換器とその台枠の分解斜視図
【図３】図２の熱交換器と台枠の部分分解斜視図
【図４】図３に示される台枠に設けられた水受け誘導手段の側面図
【図５】図４の水受け誘導手段の変形例を示す側面図
【図６】図４の水受け誘導手段の別の変形例を示す側面図
【図７】図４の水受け誘導手段のさらに別の変形例を示す側面図
【図８】図４の水受け誘導手段のさらに別の変形例を示す側面図
【図９】従来の空気調和機の室内ユニットに設けられた熱交換器とその台枠の分解斜視図
【図１０】図９の熱交換器と台枠の部分分解斜視図
【符号の説明】
【００２０】
１  室内ユニット
２  熱交換器
３  台枠
３ａ  取付板
３ｂ  取付板
４ａ  熱交換器端板
４ｂ  熱交換器端板
５ａ  孔部
５ｂ  孔部
６ａ  突起
６ｂ  突起
７  クロスフローファン
８  吸込みグリル
９  ドレンパン
１０  吹き出し口
【発明を実施するための最良の形態】
【００２１】
以下、本発明の実施の形態について、図面を参照しながら説明する。なお、この実施の形態によって本発明が限定されるものではない。【００２２】
図１は本発明に係る空気調和機の室内ユニットの縦断面図であり、図２はこの室内ユニットに設けられた熱交換器とその台枠の分解斜視図である。【００２３】
図１に示されるように、本発明に係る空気調和機の室内ユニット１の内部には、熱交換器２と、室内空気を熱交換器２に通風させるためにクロスフローファン７とが設けられている。空気調和機の運転中は、クロスフローファン７が動作することにより、吸込みグリル８より吸込まれた室内空気が熱交換器２を通過し冷媒と熱交換し、熱交換した調和空気が吹き出し口１０より室内に吹き出すように構成されている。【００２４】
また、熱交換器２の下方には、熱交換器２で発生した結露水を溜め、外部へ導出するドレンホースに導くためのドレンパン９が設けられている。【００２５】
図２に示されるように、熱交換器２は、その端部を形成する左右一対の端板４ａ，４ｂを有し、一方の端板４ａには突起６ａが形成される一方、他方の端板４ｂには孔部５ｂが形成されている。熱交換器２は台枠３を介して室内ユニットに取り付けられるが、この台枠３は、熱交換器２の幅とほぼ等しい幅で立設された一対の取付板３ａ，３ｂを有し、一方の取付板３ａには孔部５ａが形成される一方、他方の取付板３ｂには突起６ｂが形成されている。【００２６】
熱交換器２を室内ユニットに取り付けるに際し、熱交換器端板４ａの突起６ａを対応する取付板３ａの孔部５ａに嵌入させるとともに、取付板３ｂの突起６ｂを対応する熱交換器端板４ｂの孔部５ｂに嵌入させることにより、熱交換器端板４ａ，４ｂが台枠２に設けられた左右一対の取付板３ａ，３ｂにしっかりと固定される。【００２７】
図３及び図４は取付板３ａの先端部を示しており、両図に示されるように、取付板３ａにおける孔部５ａの下方には、取付板３ａの端面よりほぼ垂直に延びる水受けリブ９０が形成されている。この水受けリブ９０は、突起６ａに生じる結露水をドレンパン９に誘導するための水受け誘導手段として作用し、結露水をドレンパン９に誘導できる形状であれば、図４に示される形状以外の形状でもよい。【００２８】
このように、水受けリブ９０を設けることで、冷房運転時に突起６ａの先端が結露しても、水受けリブ９０により結露水はドレンパン９に円滑に処理されるので、結露水が送風回路を通じて吹き出し口１０から漏れ出て、水が飛んだり滴下するという事態を回避できる。なお、送風回路とは、吸込みグリル８より吸込まれ、熱交換器２を通過し、クロスフローファン７にて吹き出し口１０から吹き出す空気の流れのことである。【００２９】
図５は水受けリブ９０の変形例を示しており、突起６ａの下方に設けられた水受けリブ９０は前方に向かって下方に傾斜しており、水受けリブ９０に滴下した結露水をドレンパン９に確実に導くことができる。【００３０】
図６は水受けリブ９０の別の変形例を示しており、図５に示されるように傾斜した水受けリブ９０の後縁を孔部５ａよりも後方に位置させることで、突起６ａから滴下する水を確実に受けることができ、結露水が吹き出し口１０から漏れ出ることを防止することができる。【００３１】
図７は水受けリブ９０のさらに別の変形例を示しており、傾斜した水受けリブ９０の後縁を、孔部５ａの後方でその下端よりも上方に位置させることで、突起６ａから滴下する水をさらに確実に受けることができ、結露水が吹き出し口１０から漏れ出ることを防止することができる。【００３２】
図８は水受けリブ９０のさらに別の変形例を示しており、傾斜した水受けリブ９０の前縁を孔部５ａよりも前方に位置させることで、突起６ａから滴下する水をさらに確実に受けることができ、結露水が吹き出し口１０から漏れ出ることを防止することができる。
【産業上の利用可能性】
【００３３】
以上のように、結露水をドレンパンに誘導する形状とした水受けリブを取付板３ａの先端に配設することで、送風回路への結露水の侵入を防止することができるので、さまざまな形態の空気調和機に適用できる。
【図１】
2007119649.tif 000003
【図２】
2007119649.tif 000004
【図３】
2007119649.tif 000005
【図４】
2007119649.tif 000006
【図５】
2007119649.tif 000007
【図６】
2007119649.tif 000008
【図７】
2007119649.tif 000009
【図８】
2007119649.tif 000010
【図９】
2007119649.tif 000011
【図１０】
2007119649.tif 000012
【手続補正書】
【提出日】平成19年8月17日(2007.8.17)
【手続補正１】
【補正対象書類名】特許請求の範囲
【補正対象項目名】全文
【補正方法】変更
【補正の内容】
【特許請求の範囲】
【請求項１】
台枠により取り付けられた熱交換器と、該熱交換器の下方に設けられたドレンパンを内蔵する室内ユニットを有する空気調和機であって、
前記台枠は前記熱交換器を取り付けるための第１及び第２の取付板を有し、前記熱交換器はその両端部を形成する第１及び第２の端板を有するとともに、前記第１の端板に形成された第１の突起を前記第１の取付板に形成された第１の孔部に嵌入させる一方、前記第２の取付板に形成された第２の突起を前記第２の端板に形成された第２の孔部に嵌入させて前記熱交換器を前記台枠に取り付けるとともに、前記第１の孔部の下方に前記第１の突起に生じる結露水を前記ドレンパンに誘導するための水受け誘導手段を設け、該水受け誘導手段が前記第１の取付板から垂直に立設されたリブであることを特徴とする空気調和機。
【請求項２】
（削除）
【請求項３】
前記リブを、前記室内ユニットの前方に向かって下方に傾斜させたことを特徴とする請求項１に記載の空気調和機。
【請求項４】
前記リブの後縁が、前記第１の孔部よりも後方に位置することを特徴とする請求項３に記載の空気調和機。
【請求項５】
前記リブの後縁が、前記第１の孔部下端よりも上方に位置することを特徴とする請求項４に記載の空気調和機。
【請求項６】
前記リブの前縁が、前記第１の孔部よりも前方に位置することを特徴とする請求項１及び３乃至５のいずれか１項に記載の空気調和機。
【手続補正書】
【提出日】平成20年5月22日(2008.5.22)
【手続補正１】
【補正対象書類名】特許請求の範囲
【補正対象項目名】全文
【補正方法】変更
【補正の内容】
【特許請求の範囲】
【請求項１】
台枠により取り付けられた熱交換器と、該熱交換器の下方に設けられたドレンパンを内蔵する室内ユニットを有する空気調和機であって、
前記台枠は前記熱交換器を取り付けるための第１及び第２の取付板を有し、前記熱交換器はその両端部を形成する第１及び第２の端板を有するとともに、前記第１の端板に形成された第１の突起を前記第１の取付板に形成された第１の孔部に嵌入させる一方、前記第２の取付板に形成された第２の突起を前記第２の端板に形成された第２の孔部に嵌入させて前記熱交換器を前記台枠に取り付けるとともに、前記第１の孔部の下方に前記第１の突起に生じる結露水を前記ドレンパンに誘導するための水受け誘導手段を設け、該水受け誘導手段が前記第１の取付板から垂直に立設されたリブであることを特徴とする空気調和機。
【請求項２】
前記リブを、前記室内ユニットの前方に向かって下方に傾斜させたことを特徴とする請求項１に記載の空気調和機。
【請求項３】
前記リブの後縁が、前記第１の孔部よりも後方に位置することを特徴とする請求項２に記載の空気調和機。
【請求項４】
前記リブの後縁が、前記第１の孔部下端よりも上方に位置することを特徴とする請求項３に記載の空気調和機。
【請求項５】
前記リブの前縁が、前記第１の孔部よりも前方に位置することを特徴とする請求項１乃至４のいずれか１項に記載の空気調和機。
【手続補正２】
【補正対象書類名】明細書
【補正対象項目名】全文
【補正方法】変更
【補正の内容】
【発明の詳細な説明】
【技術分野】
【０００１】
本発明は、室内ユニットにおける結露水の処理をすることができる空気調和機に関するものである。
【背景技術】
【０００２】
従来の空気調和機においては、熱交換器は台枠を介して室内ユニットに取り付けられているが、熱交換器が台枠から浮き上がると熱交換されていない空気が室内に吹き出されることから、熱交換器が台枠から浮き上がらないように構成することで熱交換性能を向上させている（例えば、特許文献１参照）。
【０００３】
熱交換器の台枠への取付構造について図９及び図１０を参照しながら詳述する。図９は従来の空気調和機の室内ユニットに設けられた熱交換器とその台枠の分解斜視図であり、図１０はその部分分解斜視図である。
【０００４】
図９及び図１０に示されるように、熱交換器１０１は、その端部を形成する左右一対の端板１０５ａ，１０５ｂを有し、一方の端板１０５ａには突起１０６ａが形成される一方、他方の端板１０５ｂには孔部１０４ｂが形成されている。また、熱交換器１０１を室内ユニットに取り付けるための台枠１０２は、熱交換器１０１の幅とほぼ等しい幅で立設された一対の取付板１０３ａ，１０３ｂを有し、一方の取付板１０３ａには孔部１０４ａが形成される一方、他方の取付板１０３ｂには突起１０６ｂが形成されている。
【０００５】
熱交換器１０１を室内ユニット内に取り付ける場合には、熱交換器端板１０５ａの突起１０６ａを対応する取付板１０３ａの孔部１０４ａに嵌入させるとともに、取付板１０３ｂの突起１０６ｂを対応する熱交換器端板１０５ｂの孔部１０４ｂに嵌入させている。
【０００６】
【特許文献１】特開２０００−１７９９３１号公報
【発明の開示】
【発明が解決しようとする課題】
【０００７】
しかしながら、従来の構成では、熱交換器端板１０５ａの突起１０６ａと取付板１０３ａの孔部１０４ａとが係合するため、突起１０６ａの先端部は送風回路の内側に位置することになり、突起１０６ａの先端部に生じた結露水が送風回路に侵入し、送風回路を通じて空気調和機の吹き出し口から漏れ出て、水が飛んだり滴下する恐れがあるという課題を有していた。
【０００８】
本発明は、従来技術の有するこのような問題点に鑑みてなされたものであり、簡素な構成で突起先端に生じた結露水を円滑にドレンパンに導くことにより吹き出し口からの水の漏洩を防止することができる空気調和機を提供することを目的としている。
【課題を解決するための手段】
【０００９】
上記目的を達成するため、本発明は、台枠により取り付けられた熱交換器と、該熱交換器の下方に設けられたドレンパンを内蔵する室内ユニットを有する空気調和機であって、前記台枠は前記熱交換器を取り付けるための第１及び第２の取付板を有し、前記熱交換器はその両端部を形成する第１及び第２の端板を有するとともに、前記第１の端板に形成された第１の突起を前記第１の取付板に形成された第１の孔部に嵌入させる一方、前記第２の取付板に形成された第２の突起を前記第２の端板に形成された第２の孔部に嵌入させて前記熱交換器を前記台枠に取り付けるとともに、前記第１の孔部の下方に前記第１の突起に生じる結露水を前記ドレンパンに誘導するための水受け誘導手段を設けたことを特徴とする。
【００１０】
好ましくは、水受け誘導手段は、第１の取付板から垂直に立設されたリブである。
【００１１】
さらに、リブを、室内ユニットの前方に向かって下方に傾斜させるのが好ましい。
【００１２】
また、リブの後縁を、第１の孔部よりも後方に位置させたり、第１の孔部下端よりも上方に位置させるのがよい。
【００１３】
また、リブの前縁を、第１の孔部よりも前方に位置させるのが好ましい。
【発明の効果】
【００１４】
本発明によれば、第１の孔部の下方に第１の突起に生じる結露水をドレンパンに誘導するための水受け誘導手段を設けたので、結露水が送風回路に滴下して、室内ユニットの吹き出し口から漏れ出すことを防止することができる。
【００１５】
また、水受け誘導手段を、第１の取付板から垂直に立設されたリブで構成したので、構成が簡素である。
【００１６】
さらに、リブを室内ユニットの前方に向かって下方に傾斜させることにより、第１の突起先端に生じる結露水を確実にドレンパンに導くことができ、結露水の送風回路への侵入を防止することができる。
【００１７】
また、リブの後縁を第１の孔部よりも後方に位置させたり、第１の孔部下端よりも上方に位置させるようにすると、第１の突起先端に生じる結露水をより確実にドレンパンに導くことができる。
【００１８】
また、リブの前縁を第１の孔部よりも前方に位置させると、第１の突起先端に生じる結露水をさらに確実にドレンパンに導くことができる。
【発明を実施するための最良の形態】
【００１９】
以下、本発明の実施の形態について、図面を参照しながら説明する。なお、この実施の形態によって本発明が限定されるものではない。
【００２０】
図１は本発明に係る空気調和機の室内ユニットの縦断面図であり、図２はこの室内ユニットに設けられた熱交換器とその台枠の分解斜視図である。
【００２１】
図１に示されるように、本発明に係る空気調和機の室内ユニット１の内部には、熱交換器２と、室内空気を熱交換器２に通風させるためにクロスフローファン７とが設けられている。空気調和機の運転中は、クロスフローファン７が動作することにより、吸込みグリル８より吸込まれた室内空気が熱交換器２を通過し冷媒と熱交換し、熱交換した調和空気が吹き出し口１０より室内に吹き出すように構成されている。
【００２２】
また、熱交換器２の下方には、熱交換器２で発生した結露水を溜め、外部へ導出するドレンホースに導くためのドレンパン９が設けられている。
【００２３】
図２に示されるように、熱交換器２は、その端部を形成する左右一対の端板４ａ，４ｂを有し、一方の端板４ａには突起６ａが形成される一方、他方の端板４ｂには孔部５ｂが形成されている。熱交換器２は台枠３を介して室内ユニットに取り付けられるが、この台枠３は、熱交換器２の幅とほぼ等しい幅で立設された一対の取付板３ａ，３ｂを有し、一方の取付板３ａには孔部５ａが形成される一方、他方の取付板３ｂには突起６ｂが形成されている。
【００２４】
熱交換器２を室内ユニットに取り付けるに際し、熱交換器端板４ａの突起６ａを対応する取付板３ａの孔部５ａに嵌入させるとともに、取付板３ｂの突起６ｂを対応する熱交換器端板４ｂの孔部５ｂに嵌入させることにより、熱交換器端板４ａ，４ｂが台枠２に設けられた左右一対の取付板３ａ，３ｂにしっかりと固定される。
【００２５】
図３及び図４は取付板３ａの先端部を示しており、両図に示されるように、取付板３ａにおける孔部５ａの下方には、取付板３ａの端面よりほぼ垂直に延びる水受けリブ９０が形成されている。この水受けリブ９０は、突起６ａに生じる結露水をドレンパン９に誘導するための水受け誘導手段として作用し、結露水をドレンパン９に誘導できる形状であれば、図４に示される形状以外の形状でもよい。
【００２６】
このように、水受けリブ９０を設けることで、冷房運転時に突起６ａの先端が結露しても、水受けリブ９０により結露水はドレンパン９に円滑に処理されるので、結露水が送風回路を通じて吹き出し口１０から漏れ出て、水が飛んだり滴下するという事態を回避できる。なお、送風回路とは、吸込みグリル８より吸込まれ、熱交換器２を通過し、クロスフローファン７にて吹き出し口１０から吹き出す空気の流れのことである。
【００２７】
図５は水受けリブ９０の変形例を示しており、突起６ａの下方に設けられた水受けリブ９０は前方に向かって下方に傾斜しており、水受けリブ９０に滴下した結露水をドレンパン９に確実に導くことができる。
【００２８】
図６は水受けリブ９０の別の変形例を示しており、図５に示されるように傾斜した水受けリブ９０の後縁を孔部５ａよりも後方に位置させることで、突起６ａから滴下する水を確実に受けることができ、結露水が吹き出し口１０から漏れ出ることを防止することができる。
【００２９】
図７は水受けリブ９０のさらに別の変形例を示しており、傾斜した水受けリブ９０の後縁を、孔部５ａの後方でその下端よりも上方に位置させることで、突起６ａから滴下する水をさらに確実に受けることができ、結露水が吹き出し口１０から漏れ出ることを防止することができる。
【００３０】
図８は水受けリブ９０のさらに別の変形例を示しており、傾斜した水受けリブ９０の前縁を孔部５ａよりも前方に位置させることで、突起６ａから滴下する水をさらに確実に受けることができ、結露水が吹き出し口１０から漏れ出ることを防止することができる。
【産業上の利用可能性】
【００３１】
以上のように、結露水をドレンパンに誘導する形状とした水受けリブを取付板３ａの先端に配設することで、送風回路への結露水の侵入を防止することができるので、さまざまな形態の空気調和機に適用できる。
【図面の簡単な説明】
【００３２】
【図１】本発明に係る空気調和機の室内ユニットの縦断面図
【図２】図１の室内ユニットに設けられた熱交換器とその台枠の分解斜視図
【図３】図２の熱交換器と台枠の部分分解斜視図
【図４】図３に示される台枠に設けられた水受け誘導手段の側面図
【図５】図４の水受け誘導手段の変形例を示す側面図
【図６】図４の水受け誘導手段の別の変形例を示す側面図
【図７】図４の水受け誘導手段のさらに別の変形例を示す側面図
【図８】図４の水受け誘導手段のさらに別の変形例を示す側面図
【図９】従来の空気調和機の室内ユニットに設けられた熱交換器とその台枠の分解斜視図
【図１０】図９の熱交換器と台枠の部分分解斜視図
【符号の説明】
【００３３】
１  室内ユニット
２  熱交換器
３  台枠
３ａ  取付板
３ｂ  取付板
４ａ  熱交換器端板
４ｂ  熱交換器端板
５ａ  孔部
５ｂ  孔部
６ａ  突起
６ｂ  突起
７  クロスフローファン
８  吸込みグリル
９  ドレンパン
１０  吹き出し口
【手続補正３】
【補正対象書類名】図面
【補正対象項目名】全図
【補正方法】変更
【補正の内容】
【図１】
2007119649.tif 000013
【図２】
2007119649.tif 000014
【図３】
2007119649.tif 000015
【図４】
2007119649.tif 000016
【図５】
2007119649.tif 000017
【図６】
2007119649.tif 000018
【図７】
2007119649.tif 000019
【図８】
2007119649.tif 000020
【図９】
2007119649.tif 000021
【図１０】
2007119649.tif 000022
【国際調査報告】
2007119649.tif 000023
2007119649.tif 000024